(57)【要約】【課題】  広告、宣伝、標識、装飾等のために催し会場、遊技場、商店等に設置するに適したのぼり装置であって、装飾性が高く、人目を惹きやすいものを提供すること。【解決手段】    脚部と手を有する人もしくは動物を形どったパネルと、該パネルを起立姿勢で支持するベースと、のぼり本体とを備え、当該のぼり本体のポールの下端部を前記ベースに取り付けるとともに、該ポールの上下中間部をパネルの手の部分に設けたポール支持具に取り付けることにより、のぼり本体をパネルに添わせて立てた状態で支持できるようにした。【選択図】        図１
2007206311.tif 000002
【特許請求の範囲】
【請求項１】
足と手を有する人もしくは動物を形どったパネルと、該パネルを起立姿勢で支持するベースと、のぼり本体とを備え、当該のぼり本体のポールの下端部を前記ベースに取り付けるとともに、該ポールの上下中間部をパネルの手の部分に設けたポール支持具に取り付けることにより、のぼり本体をパネルに添わせて立てた状態で支持できるようにしたことを特徴とするのぼり装置。
【請求項２】
ポール支持具が、蝶番によって左右に開閉可能な筒体と、該筒体をパネルの手の部分に固定する固着手段とを備え、当該ポール支持具の筒体にポールを挿通した状態で、該ポールをパネルに添わせて支持するようにした請求項１に記載ののぼり装置。
【発明の詳細な説明】
【技術分野】
【０００１】
本発明は、広告、宣伝、標識、装飾等のために催し会場、遊技場、商店等に設置するに適したのぼり装置に関するものである。
【背景技術】
【０００２】
例えば、パチンコ店等の遊技場やスポーツ会場、特売会場等には、雰囲気を盛り上げたり、広告文を目立つように表示するために、ポールに旗布を取り付けたのぼり（幟）装置が設置されることが多い。
【０００３】
この種ののぼり装置は、ポール（旗竿）を立てた状態で支持する方法として、当該ポールを建造物の柱、電柱、フェンス等に立て掛けたり、ポールの下端部に重量物を固着したりしていた。ポールの下端部に重量物を取り付けて倒れないように支持する方法としては、例えば特許文献１に記載のものがある。
【０００４】
【特許文献１】特開平８−２２１０２２号公報
【発明の開示】
【発明が解決しようとする課題】
【０００５】
上記特許文献１に開示されている支持方法は、容器状の台座に水や砂等を注入して重量を増加させ、この台座の嵌合部に旗竿の端部を嵌合する方法である。この方法によると、水や砂を入れない状態では台座が軽いので運搬、保管等の取扱に便利であり、水や砂を台座に入れると重量を増加させることができるので、立て掛けるための建造物等がなくても旗竿を任意の場所に立てることができるという利点がある。
【０００６】
しかしながら、上記従来公知ののぼり装置は、旗材に意匠や文字を表示するだけのものであるから、外観的に単調であり、装飾性に乏しく、人の目を引き付ける力に乏しいという問題点があった。そこで本願発明は、より装飾性が高く、一目を惹きやすいのぼり装置を提供することを課題としている。
【課題を解決するための手段】
【０００７】
本発明は、上記課題を解決するため、次のような構成を採用した。すなわち、請求項１に記載ののぼり装置は、足と手を有する人もしくは動物を形どったパネルと、該パネルを起立姿勢で支持するベースと、のぼり本体とを備え、当該のぼり本体のポールの下端部を前記ベースに取り付けるとともに、該ポールの上下中間部をパネルの手の部分に設けたポール支持具に取り付けることにより、のぼり本体をパネルに添わせて立てた状態で支持できるようにしたことを特徴とするのぼり装置。
【０００８】
また、請求項２に記載の発明は、上記請求項１に記載ののぼり装置において、ポール支持具が、蝶番によって左右に開閉可能な筒体と、該筒体をパネルの手の部分に固定する固着手段とを備え、当該ポール支持具の筒体にポールを挿通した状態で、該ポールをパネルに添わせて支持するようにしたことを特徴としている。
【発明の効果】
【０００９】
本願発明に係るのぼり装置は、人、動物等の形を表すパネルをベースで起立状態に保持し、前記ベースとパネルの手の部分とでポールを支持するので、パネルの人または動物がポールを持って立っているような形状となり、看者の興味を引くことができる。また、パネルを支持手段として用いるので、当該パネルにさまざまな意匠を施すことができ、装飾性と変化に富んだものとすることができる。
【発明を実施するための最良の形態】
【００１０】
以下、本発明に係るのぼり装置の実施形態について具体的に説明する。図１以下の各図は本発明の１具体例を表すもので、こののぼり装置１は、パネル２と、のぼり本体３と、ベース４とポール係合具５とを備えている。パネル２は、手と足を備えた人間または動物の姿を表すもので、動物の場合は、手は前足であり、後足が本発明の足となる。のぼり本体３は、ポールＰと旗部材Ｆからなり、ポールＰの上端部には、直角方向に伸び出すアーム（いわゆるカンザシ）Ｐ’が設けられている。ポールは、金属プラスチック、木材、竹等で形成され、旗部材Ｆは、布、プラスチックシート、紙等のシート材で形成される。この旗部材Ｆは、それに取り付けた布製リング（乳輪）Ｒ，…によってポールＰとアームＰ’に取り付けられている。
【００１１】
パネル２は、適度の強度と剛性を備えた厚紙、プラスチック板、金属板、木材の板等で作られるもので、厚みは数ｍｍ、例えば５ｍｍ程度とすればよいが、より厚いものでもよい。パネル２の手の部分には、ポールを係合保持させることの出来るポール係合具５が取り付けられている。なお、パネル２は、人間または動物の姿を表すもので、手と足（動物の場合は、手は前足）を備えたものとする。
【００１２】
ポール係合具５は、例えば厚さ２ｍｍ程度のアクリル等の材料（他の樹脂、金属でもよい）で作られるもので、図２及び図３に示すように、固定側部材６と回動側部材７との組み合わせからなる。固定側部材６は、パネル２の手の部分に重ね合わせられる平板部６ａと、該平板部と一体に成形された樋状の半円筒部６ｂと、該半円筒部６ａから外向きに突出する細いプレート６ｃとで構成され、平板部６ａには、ボルト穴８，８が設けられている。
【００１３】
ポール係合具５の回動側部材７は、上記固定側部材６と同様な平板部７ａと、該平板部に蝶番で回動自在に取り付けられた樋状の半円筒部７ｂと、該半円筒部７ｂから外向きに突出する細いプレート７ｃとで構成され、平板部７ａには、ボルト穴８，８が設けられている。そして、平板部７ａは二つ割りされて、蝶番７ｄによって回動自在に連結されている。半円筒部７ｂの形状は上記固定側部材６の半円筒部６ａと対照的であり、両半円筒部６ａ，７ａをプレート２を挟んで突き合わせると、上下方向の円筒が形成されるようになっている。
【００１４】
上記固定側部材６と回動側部材７の外側に設けられている細いプレート６ｃ，７ｃには、パネル２を挟んだ状態で両者を連結固定するためのねじ穴９が設けられている。平板部６ａ，７ａは、プレート２を挟んでボルト穴８，８に挿通したボルト１０とナット１１を締着することにより該プレートに固着されるもので、これら平板部６ａ，７ａとボルト１０、ナット１１は、プレートに対する固着手段となっている。また、外側の細いプレート６ｃ，７ｃは、プレート２と同じ厚みのプレート片２ａを挟んでネジ（ユリアネジ）１２をねじ穴９にねじ込むことにより、半円筒部６ａ，７ａによってポール嵌合用の円筒が形成される。
【００１５】
パネル２は、ベース４によって床、地面等の上に起立状態で保持される。ベース４は、図４に示すように、床面上に載置される基部２０と、該基部上に一体に設けられたパネル支持部２１と、ポール支持部２２とを備えている。基部２０は、床面上に安定的に載置できるものであればよく、底面は平らでもよいが、凹凸のある床面の場合は、３本乃至４本の小さな下向き突起（脚）を設けておき、これら突起によって床面上に載置する方が安定性がよい。この突起の突出高さは数ｍｍ乃至数十ｍｍであればよい。ベース４の材質としては、重量の大きい鉄等の金属、プラスチック、陶磁器等を用いることができる。プラスチック等、軽量の材料で作った場合は、別途重りを付加しておけばよい。ベース４の基部を中空体とし、その内部に水等の液体や砂等の粒体を入れることにより重量を大きくするように構成しておけば、運搬等の取扱に便利である。
【００１６】
パネル支持部２１は、パネルの厚み程度の間隔で立設した一対の支持板２５，２５を備え、これら支持板２５，２５の間にパネルを挟んでねじ穴２７に螺合したネジで固定するようになっている。このネジは、１本でもよく、２本以上でもよいが、それほど大きな力は加わらないので、１本で充分である場合が多い。なお、支持板２５，２５の間隔をパネル２の厚み程度としておくことにより、このようなネジを用いず、単に支持板２５，２５の間隔にパネルを差し込むだけで支持するようにしてもよい。この場合は、ねじ穴２７も不要である。図示例では、パネル２の人物の２本の足が分離していて、上記支持板２５，２５が両足を支持できる長さに形成されている。この支持板２５，２５の組み合わせを２組設けて、それぞれで片足づつ支持するようにしてもよい。なお、場合によっては、支持板２５を１枚だけ立設し、この支持板２５にネジでパネルを当該１枚の支持板２５に直接固定するようにしてもよい。また、１対の支持板を弾性材で形成し、１対の支持板２５，２５の間に差し込んだパネル２を弾力的に挟持するようにすれば便利である。
【００１７】
ポール支持部２２は、のぼり本体３のポールＰの外径よりも若干大きい内径で、上に開口する有底の上下方向の円筒からなり、この円筒の外周部には内外に通ずる横方向のねじ穴２８が設けられている。上記円筒内にポールの下端部を嵌合し、ねじ穴２８に螺着したネジ２９を締め付けることにより、ポールの下部を固定することができるようになっている。このようなネジを設けず、ポールＰを挿入するだけでもよい。この方が操作が簡単である。
【００１８】
こののぼり装置１は、例えば催し会場や遊技場等に設置して使用される。組み立てに際しては、所定の意匠を施したパネル２の下端部（足の部分）をベース４に取り付ける。この取り付けは、パネル２の足の部分を一対の支持板２５，２５の隙間に挿入し、横からネジをねじ穴にねじ込むだけでよいので簡単である。パネル２をベースに取り付けたら、つぎにポールＰの下端部を円筒状のポール支持部２２に上から挿入し、外周部のねじ穴２８にネジ２９をねじ込んで締め付ける。この操作もきわめて簡単である。多くの場合、ネジ２９で固定しなくてもポールＰを支持することができる。
【００１９】
一方、パネル２の上方の、手の部分には、ポール係合具５を取り付け、回動側部材７を開いた状態でポールＰを固定側部材６と回動側部材７の間に嵌合し、さらに回動側部材７を閉方向に回動させて、両部材６，７で形成した円筒内にポールＰが挿通された状態とする。この状態で、外側の細いプレート６ｃ，７ｃをネジ１２で締め付けると、ポールは円筒内から逸脱しなくなる。なお、このとき、外側の細いプレート６ｃ，７ｃの間にプレート２と同じ厚みのプレート片２ａを挟んでネジ１２を締め付けると、ほぼ完全な円筒が形成されるので好ましいが、要はポールＰの上部を支持できればよいので、場合によっては、このようなプレート片２ａを挟み込まずに締め付けてもよい。
【００２０】
以上に述べたように、人または動物を形どったパネル２をベース４で起立状態に支持し、のぼり本体３のポールＰを、下端部に位置するポール支持部２２と上下中間部に位置するポール係合具５とで支持することにより、立ち上がった人または動物がのぼり本体３を手でつかんで支持した形状となる。このため、のぼり装置１は、従来の支持方法で支持するよりもはるかに看る人の興味を惹くとになる。また、のぼり本体の旗部材Ｆのみならず、パネル２にも任意の意匠を施すことができるので、装飾性も大幅に向上するのである。なお、図示例では、ベース４を重量のある材質で成形することにより、これだけでパネル２とのぼり本体３とを立てた状態で支持できるようにしているが、場合によっては、これを従来のように建造物や器物に立て掛けて支持するようにしてもよい。
【産業上の利用可能性】
【００２１】
本発明に係るのぼり装置は、工業生産的に製作することができるもので、催し会場、スポーツ大会の会場、店舗の店先等に設置して広告や表示の手段として効果的に使用することができる。
【図面の簡単な説明】
【００２２】
【図１】のぼり装置の１例を表す外観図である。
【図２】ポール係合具の正面図である。
【図３】ポール係合具の開状態（ａ）及び閉状態（ｂ）を表す平面図である。
【図４】ベースの平面図（ａ）及び正面図（ｂ）である。
【符号の説明】
【００２３】
１      のぼり装置
２      パネル
３      のぼり本体
４      ベース
５      ポール係合具
Ｐ      ポール
Ｆ      旗部材
【図１】
2007206311.tif 000003
【図２】
2007206311.tif 000004
【図３】
2007206311.tif 000005
【図４】
2007206311.tif 000006